(57)【要約】      （修正有）【課題】積み木の組合せ形態を広範囲に拡大できかつ長期間の遊戯に耐える積み木を提供する。【解決手段】単一の積み木１は略下駄状の構造体で形成されてある。また、単一の積み木１は正面形状が下方に左・右両脚部２、３を備え、上方に左・右両脚部２、３と一体になった上壁部７を備えてある。また、左・右両脚部２、３の側面形状４，５が正四角形になっている。正面図に於いてコ字状貫通空間部６を備えている。該単一の積み木１の平面８は長方形で成る。底面の略中央にコ字状貫通空間部６がある。又、コ字状貫通空間部６に隣接して左・右両脚部２、３が形成されてある。【選択図】図１
0003206227.tif 000002
【実用新案登録請求の範囲】
【請求項１】
全体形状が略下駄状の構造体で形成された単一の積み木に於いて、該単一の積み木は、下方に左・右両脚部と、上方に該左・右両脚部と一体になった上壁部とでなり、前記上壁部と前記左・右両脚部とで形成したコ字状貫通空間部を形成し、該上壁部の平面形状が長方形、該左・右両脚部の側面形状が正四角形とでなり、該単一の積み木を複数個備えて組を構成することを特徴とする積み木。
【考案の詳細な説明】
【技術分野】
【０００１】
本考案は、積み木に関する。
【背景技術】
【０００２】
この種、従来の技術に於ける積み木は単純な構造をした立方体又は直方体のブロックを好みに応じて積み上げて児童や大人がいわゆる遊戯に供するものであった。
【先行技術文献】
【特許文献】
【０００３】
【特許文献１】実登第３０５８２２３号登録実用新案公報
【考案の開示】
【考案が解決しようとする課題】
【０００４】
従来の技術は叙上した構成、作用であるので次の課題が存在した。
すなわち、従来の技術では積み木が余りにもシンプルであり積み木の組合せ形態が多種類に構築することはなく遊戯する範囲も狭く長期間の遊戯に耐えられないという問題点があった。
【課題を解決するための手段】
【０００５】
本考案はかかる問題点を解決するために考案したものである。そして、積み木の組合せ形態を広範囲に拡大できかつ長期間の遊戯に耐えることを目的としたものであって、次の構成・手段から成立する。
すなわち請求項１記載の考案によれば、全体形状が略下駄状の構造体で形成された単一の積み木に於いて、該単一の積み木は、下方に左・右両脚部と、上方に該左・右両脚部と一体になった上壁部とでなり、前記上壁部と前記左・右両脚部とで形成したコ字状貫通空間部を形成し、該上壁部の平面形状が長方形、該左・右両脚部の側面形状が正四角形とでなり、該単一の積み木を複数個備えて組を構成することを特徴とする。
【考案の効果】
【０００６】
本考案に係る積み木は叙上の構成を有するので、次の効果がある。
すなわち、請求項１に記載の考案によれば、全体形状が略下駄状の構造体で形成された単一の積み木に於いて、該単一の積み木は、下方に左・右両脚部と、上方に該左・右両脚部と一体になった上壁部とでなり、前記上壁部と前記左・右両脚部とで形成したコ字状貫通空間部を形成し、該上壁部の平面形状が長方形、該左・右両脚部の側面形状が正四角形とでなり、該単一の積み木を複数個備えて組を構成することを提供する。
このような構成としたので、単一の積み木を例えば２ないし５個備えて児童や大人の遊戯や知恵比べに供することができる。そして、かかる遊戯や知恵比べで児童や大人が長期間楽しみや遊戯に耐え得る耐久性の高い積み木を提供することができるという効果がある。
【図面の簡単な説明】
【０００７】
【図１】本考案に係る単一の積み木の斜視図である。
【図２】本考案に係る単一の積み木の正面図である。
【図３】本考案に係る単一の積み木を左側及び右側からみた両側図である。
【図４】本考案に係る単一の積み木の底面図である。
【図５】本考案に係る単一の積み木を２個に設定しその組合せによる各形態を示す実施例の説明図であって、６２パターンを示してある。
【図６】図５に示す各形態に連続して１７パターンを示してある説明図である。
【図７】本考案に係る単一の積み木を４個、５個に設定した実施例の説明図であって（ａ）は４個で設定しその組合せによる各形態を示す実施例の説明図であって、（ｂ）は５個で設定し、その組合せによる各形態を示す実施例の説明図である。
【考案を実施するための形態】
【０００８】
以下、本考案の実施の形態について図面を参照しつつ説明する。
図１ないし図４は本考案に係る積み木の実施形態の一例を示している。
これについて説明すれば、１は本考案に係る単一の積み木である。該単一の積み木１は略下駄状の構造体で形成されてある。また、単一の積み木１は正面形状が図１及び図２に示すように下方に左・右両脚部２、３を備え、上方に左・右両脚部２、３と一体になった上壁部７を備えてある。また、左・右両脚部２、３の側面形状４，５が図３に示すように正四角形になっている。図２に示す正面図に於いてコ字状貫通空間部６を備えている。該単一の積み木１の平面８は長方形で成る。図４に示すように底面の略中央にコ字状貫通空間部６がある。又、コ字状貫通空間部６に隣接して左・右両脚部２、３の底面が形成されてある。
【０００９】
次に単一の積み木１は次のような寸法で構成されている。上壁部７の平面上の縦幅Ｗ１は前記コ字状貫通空間部６の幅Ｗ２よりやや短い寸法で設計されてある。そして横長Ｌは  縦幅Ｗ1・2に設定されている。左・右両脚部２、３の両側面に於ける幅Ｗ３はコ字状貫通空間部６の高さＨ１よりやや短く設計してある。又、前記コ字状貫通空間部６の幅Ｗ２は上壁部７の平面上の幅Ｗ１よりやや大きく設計してある。そして、本考案に係る単一の積み木１の高さＨ2はコ字状貫通空間部６の高さＨ1とを前記上壁部７の高さＨ3との合計値であって上壁部７の高さＨ3はコ字状貫通空間部６の高さＨ1よりやや低くなっている。ここで寸法関係を明示すればＷ3・2＝Ｗ2、Ｈ2＝Ｈ1＋Ｈ3の関係にある。また、積み木１の面と面が交差する部分は組み上げ易くするために面取りを行なってもよい。
【実施例】
【００１０】
図５に示す実施例は第１の単一の積み木１を反転した状態で第２の単一の積み木１の左脚部を第１の単一の積み木１のコ字状貫通空間部６に裁置する。このとき第１の単一の積み木１の上壁部７の正面部の表面と第２の単一の積み木１の左脚部２の側面４が面一となっている。この組合せに於いて図５Ａ部は２つの積み木を組合せた状態を示す平面図、Ｂ部はその正面図、Ｃ部はその斜視図、Ｄ部は側面図である。以下同様に第１及び第２の単一の積み木１を種々のパターンで組合せて児童及び大人は遊戯に供することができる。図５は６２パターンを示してある。
【００１１】
図６は図５に示す実施例を更に追加した１７パターンを示してある。組合せ手順等は図５と同様に種々考えられる。理論的には無限に近い組合せが可能となる。尚単一の積み木１の材料は木製に限らず樹脂や金属等に構成してもよい。
【００１２】
更に、図７（ａ）（ｂ）に示すように４つ又は５つの積み木１を組合せて、前述した図５に示すようにパターンを形成することができる。図７（ａ）は４つの積み木１を組合せて全体が直方体に組上げ、実施例であり、図７（ｂ）５つの積み木１を組合せで全体が立方体に組上げた実施例である。図中Ａ、Ｂ、Ｃ、Ｄは、図６に示したもの同一部分の図を示す。
【産業上の利用可能性】
【００１３】
本考案に係る積み木は、児童や大人の遊戯や知恵比べに供することができる。そして、かかる遊戯や知恵比べで長期間の楽しみに耐えることのできる積み木を利用できその利用範囲は広いものである。
【符号の説明】
【００１４】
１        積み木
２        左側脚部
３        右側脚部  
４        側面形状
５        側面形状  
６        コ字状貫通空間部
７        上壁部
８        積み木の平面
【図１】
0003206227.tif 000003
【図２】
0003206227.tif 000004
【図３】
0003206227.tif 000005
【図４】
0003206227.tif 000006
【図５】
0003206227.tif 000007
【図６】
0003206227.tif 000008
【図７】
0003206227.tif 000009